(57)【要約】  プロテクトされるコンテンツとは別にコピープロテクション情報の記憶を可能とするコピープロテクションシステム及び方法を開示する。一実施形態は、デジタルコンテンツファイルとコピープロテクション情報ファイルとを有する記録媒体を再生するメカニズムであって、前記デジタルコンテンツファイルからデジタルコンテンツ信号を発生し前記コピープロテクションファイルからコピープロテクション信号を発生するメカニズムと、前記メカニズムに動作可能に接続された、前記デジタルコンテンツ信号をアナログ信号に変換するデジタル・アナログ・コンバータと、前記メカニズムに接続された、前記デジタルコンテンツ信号中にあるコピープロテクショントリガーを検出するコピープロテクションディテクタと、前記コピープロテクションディテクタに接続された、前記コピープロテクショントリガーの検出に応答して前記コピープロテクション信号を含むように前記アナログ信号を一部変更する信号モディファイアとを有する。【特許請求の範囲】
【請求項１】
デジタルコンテンツファイルとコピープロテクション情報ファイルとを有する記録媒体を再生するメカニズムであって、前記デジタルコンテンツファイルからデジタルコンテンツ信号を発生し前記コピープロテクションファイルからコピープロテクション信号を発生するメカニズムと、
前記メカニズムに動作可能に接続された、前記デジタルコンテンツ信号をアナログ信号に変換するデジタル・アナログ・コンバータと、
前記メカニズムに接続された、前記デジタルコンテンツ信号中にあるコピープロテクショントリガーを検出するコピープロテクションディテクタと、
前記コピープロテクションディテクタに接続された、前記コピープロテクショントリガーの検出に応答して前記コピープロテクション信号を含むように前記アナログ信号を一部変更する信号モディファイアとを有する、装置。
【請求項２】
前記デジタルコンテンツ信号と前記アナログ信号はビデオ信号である、請求項１に記載の装置。
【請求項３】
前記コピープロテクション信号はＡＣＰ波形である、請求項１に記載の装置。
【請求項４】
デジタルコンテンツファイルを格納した記録媒体を再生するメカニズムであって、前記デジタルコンテンツファイルからデジタルコンテンツ信号を発生するメカニズムと、
コピープロテクション情報ファイルを格納したコピープロテクション情報記憶装置であって、前記コピープロテクション情報ファイルからコピープロテクション信号を発生する記憶装置と、
前記メカニズムに動作可能に接続された、前記デジタルコンテンツ信号をアナログ信号に変換するデジタル・アナログ・コンバータと、
前記メカニズムに接続された、前記デジタルコンテンツ信号中にあるコピープロテクショントリガーを検出するコピープロテクションディテクタと、
前記コピープロテクションディテクタと前記記憶装置とに接続された、前記コピープロテクショントリガーの検出に応答して前記コピープロテクション信号を含むように前記アナログ信号を一部変更する信号モディファイアとを有する、装置。
【請求項５】
前記デジタルコンテンツ信号と前記アナログ信号はビデオ信号である、請求項４に記載の装置。
【請求項６】
前記コピープロテクション信号はＡＣＰ波形である、請求項４に記載の装置。
【請求項７】
デジタルコンテンツファイルを格納した記録媒体を再生するメカニズムであって、前記デジタルコンテンツファイルからデジタルコンテンツ信号を発生するメカニズムと、
ネットワークを介してアクセス可能なコピープロテクション情報ファイルであって、コピープロテクション信号を発生するコピープロテクション情報ファイルを保持するリモートコピープロテクション情報記憶装置と、
前記メカニズムに動作可能に接続された、前記デジタルコンテンツ信号をアナログ信号に変換するデジタル・アナログ・コンバータと、
前記メカニズムに接続された、前記デジタルコンテンツ信号中にあるコピープロテクショントリガーを検出するコピープロテクションディテクタと、
前記コピープロテクションディテクタと前記記憶装置とに接続された、前記コピープロテクショントリガーの検出に応答して前記コピープロテクション信号を含むように前記アナログ信号を一部変更する信号モディファイアとを有する、装置。
【請求項８】
前記デジタルコンテンツ信号と前記アナログ信号はビデオ信号である、請求項７に記載の装置。
【請求項９】
前記コピープロテクション信号はＡＣＰ波形である、請求項７に記載の装置。
【請求項１０】
デジタルコンテンツファイルを格納した記録媒体を再生するメカニズムであって、前記デジタルコンテンツファイルからデジタルコンテンツ信号を発生するメカニズムと、
ネットワークを介してコピープロテクション情報ファイルを受け取るコピープロテクション情報記憶装置であって、受け取った前記コピープロテクション情報ファイルからコピープロテクション信号を発生する記憶装置と、
前記メカニズムに動作可能に接続された、前記デジタルコンテンツ信号をアナログ信号に変換するデジタル・アナログ・コンバータと、
前記メカニズムに接続された、前記デジタルコンテンツ信号中にあるコピープロテクショントリガーを検出するコピープロテクションディテクタと、
前記コピープロテクションディテクタと前記記憶装置とに接続された、前記コピープロテクショントリガーの検出に応答して前記コピープロテクション信号を含むように前記アナログ信号を一部変更する信号モディファイアとを有する、装置。
【請求項１１】
前記デジタルコンテンツ信号と前記アナログ信号はビデオ信号である、請求項１０に記載の装置。
【請求項１２】
前記コピープロテクション信号はＡＣＰ波形である、請求項１０に記載の装置。
【請求項１３】
デジタルコンテンツファイルとコピープロテクション情報ファイルとを有する記録媒体を再生するメカニズムであって、前記デジタルコンテンツファイルからデジタルコンテンツ信号を発生し前記コピープロテクションファイルからコピープロテクション信号を発生するメカニズムと、
前記メカニズムに動作可能に接続された、前記デジタルコンテンツ信号をアナログ信号に変換するデジタル・アナログ・コンバータと、
前記メカニズムに接続された、前記アナログ信号を前記コピープロテクション信号を含むように一部変更する信号モディファイアとを有する、装置。
【請求項１４】
前記デジタルコンテンツ信号と前記アナログ信号はビデオ信号である、請求項１３に記載の装置。
【請求項１５】
前記コピープロテクション信号はＡＣＰ波形である、請求項１３に記載の装置。
【請求項１６】
デジタルコンテンツファイルを格納した記録媒体を再生するメカニズムであって、前記デジタルコンテンツファイルからデジタルコンテンツ信号を発生するメカニズムと、
コピープロテクション情報ファイルを格納したコピープロテクション情報記憶装置であって、前記コピープロテクション情報ファイルからコピープロテクション信号を発生する記憶装置と、
前記メカニズムに動作可能に接続された、前記デジタルコンテンツ信号をアナログ信号に変換するデジタル・アナログ・コンバータと、
前記記憶装置に接続された、前記アナログ信号を前記コピープロテクション信号を含むように一部変更する信号モディファイアとを有する、装置。
【請求項１７】
前記デジタルコンテンツ信号と前記アナログ信号はビデオ信号である、請求項１６に記載の装置。
【請求項１８】
前記コピープロテクション信号はＡＣＰ波形である、請求項１６に記載の装置。
【請求項１９】
デジタルコンテンツソースからデジタルコンテンツ信号を受け取るメカニズムと、
コピープロテクション情報ファイルを格納したコピープロテクション情報記憶装置であって、前記コピープロテクション情報ファイルからコピープロテクション信号を発生する記憶装置と、
前記メカニズムに動作可能に接続された、前記デジタルコンテンツ信号をアナログ信号に変換するデジタル・アナログ・コンバータと、
前記メカニズムに接続された、前記デジタルコンテンツ信号中にあるコピープロテクショントリガーを検出するコピープロテクションディテクタと、
前記コピープロテクションディテクタと前記記憶装置とに接続された、前記コピープロテクショントリガーの検出に応答して前記コピープロテクション信号を含むように前記アナログ信号を一部変更する信号モディファイアとを有する、装置。
【請求項２０】
前記デジタルコンテンツ信号と前記アナログ信号はビデオ信号である、請求項１９に記載の装置。
【請求項２１】
前記コピープロテクション信号はＡＣＰ波形である、請求項１９に記載の装置。
【請求項２２】
デジタルコンテンツファイルとコピープロテクション情報ファイルとを格納した記録媒体を再生する段階と、
前記デジタルコンテンツファイルからデジタルコンテンツ信号を再生し、前記コピープロテクションファイルからコピープロテクション信号を再生する段階と、
前記デジタルコンテンツ信号をアナログ信号に変換する段階と、
前記デジタルコンテンツ信号中にあるコピープロテクショントリガーを検出する段階と、
前記コピープロテクショントリガーの検出に応答して前記アナログ信号を一部変更して前記コピープロテクション信号を含める段階とを有する、方法。
【請求項２３】
前記デジタルコンテンツ信号と前記アナログ信号はビデオ信号である、請求項２２に記載の方法。
【請求項２４】
前記コピープロテクション信号はＡＣＰ波形である、請求項２２に記載の方法。
【請求項２５】
デジタルコンテンツファイルを格納した記録媒体を再生する段階と、
前記デジタルコンテンツファイルからデジタルコンテンツ信号を発生する段階と、
コピープロテクション情報ファイルを読み出す段階と、
前記コピープロテクション情報ファイルからコピープロテクション信号を発生する段階と、
前記デジタルコンテンツ信号をアナログ信号に変換する段階と、
前記デジタルコンテンツ信号中にあるコピープロテクショントリガーを検出する段階と、
前記コピープロテクショントリガーの検出に応答して前記アナログ信号を一部変更して前記コピープロテクション信号を含める段階とを有する、方法。
【請求項２６】
前記デジタルコンテンツ信号と前記アナログ信号はビデオ信号である、請求項２５に記載の方法。
【請求項２７】
前記コピープロテクション信号はＡＣＰ波形である、請求項２５に記載の方法。
【請求項２８】
デジタルコンテンツファイルからデジタルコンテンツ信号を受け取る段階と、
コピープロテクション情報ファイルを読み出す段階と、
前記コピープロテクション情報ファイルからコピープロテクション信号を発生する段階と、
前記デジタルコンテンツ信号をアナログ信号に変換する段階と、
前記デジタルコンテンツ信号中にあるコピープロテクショントリガーを検出する段階と、
前記コピープロテクショントリガーの検出に応答して前記アナログ信号を一部変更して前記コピープロテクション信号を含める段階とを有する、方法。
【請求項２９】
前記デジタルコンテンツ信号と前記アナログ信号はビデオ信号である、請求項２８に記載の方法。
【請求項３０】
前記コピープロテクション信号はＡＣＰ波形である、請求項２８に記載の方法。
【発明の詳細な説明】
【技術分野】
【０００１】
本発明の実施形態はアナログ及びデジタルのコピープロテクションの分野に関し、より具体的には、デジタルレコーディング可能媒体に格納されたコンテンツのコピープロテクションションの分野に関する。
【背景技術】
【０００２】
ビデオ信号の周知のいろいろなコピープロテクション方式（schemes）には、アナログビデオ信号を一部変更（modify）して、それから満足できる（acceptable）ビデオレコーディングをすることを阻止する、１９８６年１２月２３日にジョン・Ｏ・ライアンに発行されマクロビジョンコーポレーションに譲渡された米国特許第４，６３１，６０３号がある。この′６０３号特許は、ビデオ信号の垂直帰線期間の使っていないラインに、各々は負パルスとそのすぐそばにある正パルスとである複数のパルスペアを加えることを開示している。効果として、かかる信号を記録するＶＣＲ（ビデオカセットレコーダ）のＡＧＣ（自動利得制御）回路を混乱させ、記録信号は再生しても過度に暗いピクチャがあり見られなくなる。
【０００３】
他のアナログビデオプロテクション方式が１９９０年４月３日にレオナード（Leonard）に発行されＥｉｄａｋ社に譲渡された米国特許第４，９１４，６９４号に開示されている。Ｅｉｄａｋ社のシステムは、各ビデオフィールドの長さを標準的な長さから増減する。この増減は、フレーム毎の一定の標準ライン数は維持しつつ各フィールドの水平ライン間隔の時間を変化させることにより、あるいは各ライン間隔の標準的長さは維持しつつフレームを構成する水平ライン区間数を変化させることによる。（要約参照）。これらのビデオプロテクションシステムは、記録されるビデオ信号（例えば、テープ、磁気ディスク、光ディスク、その他の記録可能媒体）または放送されるビデオ信号（例えば、プロテクトされたペイパービューテレビジョン番組）を一部変更して、普通のＶＣＲその他の記録可能媒体によるコピー（viewable copying）を困難または不可能にする。コピープロテクトされたビデオ信号が記録されたビデオテープ等を、ＶＣＲまたは同様の再生装置を用いて再生すると、コピープロテクションのプロセスは基本的に透過的である。すなわち、元の記録コンテンツを見ることには干渉しない。しかし、第１の（再生）ＶＣＲの出力を記録するために第２のＶＣＲを用いてテープからビデオ信号をコピーしようとすると、そのコピープロテクションシステムの有効性に応じて、ピクチャ（picture）がある程度劣化する。こうした従来のビデオコピープロテクションシステムはアナログビデオ信号をプロテクトするだけである。
【０００４】
デジタル的に記録再生するデジタルビデオレコーダもよく知られている。デジタルレコーダのユーザにとっての利点は、従来のアナログ記録技術の場合とは異なり、デジタル領域（digital domain）で信号を記録再生している限り、ピクチャ品質が大幅に劣化することなく各世代のコピーをできることである。
【０００５】
今日、多数のコンシューマプロダクトはデジタルとアナログの入出力を有している。これらのシステムのいくつかは、アナログ出力機能を有する一方、デジタル信号を記録再生する機能も有する。このように、これらのシステムは、入力アナログ信号をデジタル信号に内部的に変換し、デジタル記憶装置からのデジタル信号をアナログビデオストリームとして再生する機能を有する。デジタルバーサタイルディスク（ＤＶＤ）プレーヤは、かかるコンシューマ装置の一例であり、デジタルビデオ信号を保持し、対応するアナログビデオストリームを出力できる。再生中、例えば、光ディスクからのデジタルデータストリームは、デジタルテレビジョンセットが表示するデジタル信号として、または従来のアナログビデオ出力信号（米国で使用されるＮＴＳＣ信号、その他ので使用されるＰＡＬまたはＳＥＣＡＭ等）としてもにその装置内で変換されて利用できる。デジタルビデオシステムは高精細度再生（high fidelity reproduction）ができ、その分高品質のコピーが容易になるので、重要なことは、コンシューマが使用するかかる装置を不正な記録を阻止または思いとどまらせるように設計することである。例えば、重要なことは、著作権があるビデオ素材を不法に複製するためのレコーダ使用を防止し、かかる不法複製された素材の再生も防止することである。
【０００６】
ジョン・Ｏ・ライアンによる米国特許５，３１５，４４８（′４４８特許）は、デジタル的に記録でき、デジタル領域とアナログ領域の両方でコピープロテクションを提供するハイブリッドデジタル・アナログレコーダを記載している。アナログビデオが外部から供給された場合、レコーダはコピープロテクションがされていることを検出して、記録を不能とする。デジタルビデオが外部から供給された場合、コピー防止ビットとシリアルコピープロテクションビットの両方を検出して、それぞれ（１）記録を不能とし、（２）第２のデジタルレコーダによるコピーを防止する。記録された素材を再生する場合、デジタル再生ビデオ中にコピー防止ビットがあることを検出し、アナログ信号に変換する時にデジタル再生ビデオをアナログビデオコピープロテクションプロセスにより一部変更する。′４４８特許の他の実施形態では、アナログソースまたはデジタルソースのビデオ素材（事前に記録されたものであるか、外部ソースからのものである）は、コピープロテクションフラグまたはトリガー（trigger）とともに供給される。再生装置がそのフラグを検出すると、再生される標準ビデオ信号は、アナログコピープロテクションプロセスで一部変更される。この実施形態は、ソースビデオをコピープロテクトできないが、記録を再生すると標準（ＮＴＳＣ）ビデオ信号が供給される再生装置に対して好適である。
【０００７】
′４４８特許に記載されたアナログビデオコピープロテクションプロセスでは、米国特許第４，６３１，６０３号に記載された実施形態等のＡＣＰ（コピー防止プロセス）信号ジェネレータが使用される。このＡＣＰ信号ジェネレータは、アナログビデオコピー防止信号を発生する。ＡＣＰ信号ジェネレータは、次に、このコピー防止信号をデジタル・アナログ・コンバータの出力信号に加える。そのデジタル・アナログ・コンバータは、例えば、ＤＶＤからのデジタルビデオ出力信号をアナログ信号（例えば、ＮＴＳＣ）に変換するものである。あるいは、上記の米国特許第４，９１４，６９４号に示されたように、ＡＣＰ信号ジェネレータは、「ＴＶ信号ソース」を一部変更するために実施してもよい。当業者には言うまでもなく、他のＡＣＰ信号ジェネレータの実施形態を使用することもできる。このように、′４４８発明を用いて、アナログ出力端子に出力されるアナログ（ＮＴＳＣ））ビデオ信号は、アナログコピー防止プロセスにより一部変更されたアナログビデオ信号である。これにより、事前に記録されたビデオ信号から供給される信号からの、既存のアナログ記録装置における満足できる（acceptable）ビデオ記録が防止される。
【０００８】
′４４８特許は効果的なアナログコピープロテクションシステムを記載しているが、アナログビデオ信号を実際に一部変更（modify）するハードウェアから、アナログコピー防止プロセスを分離することは有益である。信号一部変更ハードウェアからコピー防止プロセスを分離することにより、システムは、現在のシステムにはない柔軟性と設定可能性（configurability）を実現することができる。
【０００９】
本発明を添付した図面を限定ではなく例として説明する。
【発明を実施するための最良の形態】
【００１０】
プロテクトされるコンテンツとは別にコピープロテクション情報の記憶を可能とするコピープロテクションシステム及び方法を開示する。以下の詳細な説明では、本発明をよく理解してもらうために、具体的な詳細事項を多数記載する。しかし、当業者には言うまでもなく、本発明の実施にはこれらの具体的な詳細事項を使用する必要はない。他の状況では、本発明を不必要に分かりにくくしないように、周知の構成、回路、プロセス、インターフェイスは示さないか、詳細には説明していない。
【００１１】
ここで図１を参照して、ブロック図に本発明の一実施形態を示した。図１は、デジタル記録媒体１０５を再生するメカニズム１００を示している。かかるメカニズムの例は、ＤＶＤプレーヤや従来のパーソナルコンピュータである。記録媒体１０５（例えば、ＤＶＤディスク）は、デジタルコンテンツファイル１０７とコピープロテクション情報ファイル１０９とを格納している。デジタルコンテンツファイル１０７は、ビデオ映画等の従来のデジタル化された作品を表す。コピープロテクション情報ファイル１０９は、′６０３特許、′６９４特許、′４４８特許に関して上で説明したプロセス等であるアナログコピープロテクションプロセスを実施するために使用される１組の情報の、いくつかの代替的実施形態のうちの１つを表す。一実施形態では、ファイル１０９はデジタル化されたアナログコピープロテクション波形であり、その波形をデジタルコンテンツファイル１０７から作られたデジタルコンテンツ信号に都合よく加えることができる。例えば、ファイル１０９は、従来のテレビジョンセットまたはビデオモニターの水平／垂直同期構造（structure）を表す。あるいは、ファイル１０９は、従来のテレビジョンセットまたはビデオモニターの垂直帰線期間ラインの全体を表す。コピープロテクション情報ファイル１０９の同等な他の実施形態は、本開示を考慮して当業者には明らかであろう。さらに、ファイル１０９のコピープロテクション情報は、従来のいくつかの方法でエンコード（encoded）することができる。一実施形態では、ファイル１０９のコピープロテクションション情報はデジタル化された生の波形である。他の実施形態では、ファイル１０９のコピープロテクションション情報は、使用したエンコーディング（encoding）のタイプを明記するメタデータ部分を組み合わせたデジタル化データであってもよい。さらに別の実施形態では、ファイル１０９のコピープロテクション情報は、コピープロテクション波形の静的要素及び動的要素を規定する数学的モデル表現またはプログラム的表現である。
【００１２】
記録媒体１０５を再生するメカニズム１００は、デジタルコンテンツファイル１０７から従来のデジタルコンテンツ信号を発生する。このデジタルコンテンツ信号は、信号モディファイア（modifier）１２０を介してデジタル・アナログ・コンバータ（ＤＡＣ）１３０に入力として供給される。ＤＡＣ１３０は、信号モディファイア１２０からのデジタルコンテンツ信号を受け、対応するアナログコンテンツ信号（例えば、ＮＴＳＣビデオ信号）を発生する。
【００１３】
アナログ領域への変換前に、デジタルコンテンツ信号は、図１に示したように、コピープロテクション（ＣＰ）ディテクタ１１０にも入力として供給される。ＣＰディテクタ１１０は、デジタルコンテンツにエンコード（encoded）されたコピープロテクショントリガー（trigger）をデコード（decode）する。上記の′４４８特許は、デジタルコンテンツ信号のコピープロテクショントリガーを検出するＣＰディテクタ１１０の実施形態を記載している。ＣＰディテクタ１１０の出力は、信号モディファイア１２０に接続されている。ＣＰディテクタ１１０がデジタルコンテンツにコピープロテクショントリガーがあることを検出すると、信号モディファイア１２０を使用してデジタルコンテンツ信号を一部変更（modify）して、コピープロテクション信号を加え、ＤＡＣ１３０に出力する。ＣＰディテクタ１１０がコピープロテクショントリガーを検出しなければ、デジタルコンテンツ信号は一部変更されずにＤＡＣ１３０に送られる。コピープロテクションショントリガーが検出されると、信号モディファイア１２０は、デジタルメディア１０５上にあるコピープロテクションファイル１０９からコピープロテクション信号を取得する。信号モディファイア１２０は、コピープロテクション信号でデジタルコンテンツ信号を一部修正／増補（augment）し、一部修正された信号をＤＡＣ１３０に出力する。そのＤＡＣ１３０は、コピープロテクション信号が埋め込まれた一部修正されたアナログ出力信号１５０を発生する。′６０３特許、′６９４特許、′４４８特許に記載された技術と同様に、一部修正されたアナログ信号１５０を使用して、アナログ信号の不正なコピーを防止し、対応するコンテンツをプロテクトする。一実施形態では、アナログ出力信号は、アナログコピープロテクション（ＡＣＰ）信号が埋め込まれた（embedded）従来のＮＴＳＣビデオ信号である。
【００１４】
ここで図２を参照して、別の実施形態を説明する。図２に示したように、本実施形態はデジタル記録媒体２０５を再生するメカニズム２００を含む。図１に示した実施形態と同様に、かかるメカニズムの例はＤＶＤプレーヤやパーソナルコンピュータである。記録媒体２０５にはデジタルコンテンツファイル２０７が格納されている。図１に示した実施形態と対比して、コピープロテクション情報ファイル２０９はデジタルメディア２０５には化体していない。むしろ、コピープロテクションションファイル２０９は、メカニズム２００にアクセス可能な固定メモリ装置またはリムーバブルメモリ装置に別途格納される。従来の様々なメモリ装置を使用してコピープロテクションションファイル２０９を保持できる。例えば、フラッシュメモリその他のタイプの半導体メモリをメカニズム２００に入れることができる。磁気ストライプや電子インターフェイスを有する従来のリムーバブルカードも使用できる。従来の様々な手段を用いて、コピープロテクションファイル２０９は信号モディファイア２２０によりアクセスされ、図１に関して上で説明したようにデジタルコンテンツ信号を一部変更するために使用される。コピープロテクションションファイル２０９は、図１に関して上で説明した如何なる形式をとることもできる。図２に示した実施形態の利点は、コピープロテクションファイルを保持するようにデジタル媒体２０５を一部変更する必要がないことである。その他のすべての面で、図２に示した実施形態は、図１に示した実施形態と同様に動作し、ＣＰディテクタ１１０がデジタルコンテンツ信号中にコピープロテクショントリガーを検出すると、一部変更されたアナログ出力信号１５０を発生する。
【００１５】
ここで図３を参照して、別の実施形態を説明する。図３に示したように、本実施形態はデジタル記録媒体２０５を再生するメカニズム３００を含む。図１に示した実施形態と同様に、かかるメカニズムの例はＤＶＤプレーヤやパーソナルコンピュータである。記録媒体２０５にはデジタルコンテンツファイル２０７が格納されている。図１と図２に示した実施形態と対比して、コピープロテクションション情報ファイル３０９はデジタル媒体２０５上に化体されておらず、メカニズム３００に直接アクセスできるメモリ装置にも格納されていない。むしろ、コピープロテクションファイル３０９は、メカニズム３００から離れたところに格納され、従来のネットワーク接続３１５を介してアクセス可能である。従来の方法を用いて、コピープロテクションションファイル３０９をネットワーク接続された通信または伝送リンク３１５（例えば、インターネット）を介して取得でき、信号モディファイア３２０に入力として供給される。上記のように、コピープロテクションファイル３０９は信号モディファイア３２０によりアクセスされ、図１に関して上で説明したようにデジタルコンテンツ信号を一部変更するために使用される。コピープロテクションションファイル３０９は、図１に関して上で説明した如何なる形式をとることもできる。典型的な実施形態では、ＣＰディテクタ１１０により検出されたデジタルコンテンツ信号中のコピープロテクショントリガービットを使用して、メカニズム３００にインターネット３１５を介してコピープロテクションファイル３０９へのアクセスをさせるようトリガー（trigger）する。このように、コンテンツ２０７の再生はファイル３０９が取得されるまで阻止される。図３に示した実施形態の利点は、コピープロテクションファイルを保持するようにデジタル媒体２０５を一部変更する必要がないことである。さらに、コピープロテクションファイル３０９を離れたところに格納でき、容易に更新することができる。その他のすべての面で、図３に示した実施形態は、図１に示した実施形態と同様に動作し、ＣＰディテクタ１１０がデジタルコンテンツ信号中にコピープロテクショントリガーを検出すると、一部変更されたアナログ出力信号１５０を発生する。  ここで図４を参照して、別の実施形態を説明する。図４に示したように、本実施形態はデジタル記録媒体２０５を再生するメカニズム４００を含む。図１に示した実施形態と同様に、かかるメカニズムの例はＤＶＤプレーヤやパーソナルコンピュータである。記録媒体２０５にはデジタルコンテンツファイル２０７が格納されている。図３に示した実施形態と同様に、図４に示した実施形態は、メカニズム４００から離れたところに格納され、従来のネットワーク接続３１５を介してアクセス可能なコピープロテクションファイル４０９を含む。図３と対比して、メカニズム４００は、従来のネットワーク接続を介して受信したコピープロテクションファイル４０９のコピーをローカルで格納するコピープロテクションファイル記憶コンポーネント４１７を含む。リアルタイムで、またはセットアップ初期化段階において、メカニズム４００はネットワーク接続３１５（例えば、インターネット）を介してコピープロテクションファイル４０９にアクセスする。取得したコピープロテクションションファイル４０９は、記憶コンポーネント４１７にローカルに格納され、信号モディファイア４２０により後で使用される。上記のように、コピープロテクションファイル４０９は信号モディファイア４２０により記憶コンポーネント４１７にアクセスされ、図１に関して上で説明したようにデジタルコンテンツ信号を一部変更するために使用される。コピープロテクションションファイル４０９は、図１に関して上で説明した如何なる形式をとることもできる。図４に示した実施形態の利点は、コピープロテクションファイル４０９を離れたところに格納でき、容易に更新できることであり、さらにコピープロテクションションファイル４０９のコピーを取得してメカニズム４００にローカルに格納でき、効率がよくなることである。その他のすべての面で、図４に示した実施形態は、図１に示した実施形態と同様に動作し、ＣＰディテクタ１１０がデジタルコンテンツ信号中にコピープロテクショントリガーを検出すると、一部変更されたアナログ出力信号１５０を発生する。
【００１６】
ここで図５を参照して、別の実施形態を説明する。図５に示したように、本実施形態はデジタル記録媒体５０５を再生するメカニズム５００を含む。図１に示した実施形態と同様に、かかるメカニズムの例はＤＶＤプレーヤやパーソナルコンピュータである。記録媒体５０５は、デジタルコンテンツファイル５０７とコピープロテクション情報ファイル５０９とを格納している。図１に示した実施形態と対比して、メカニズム５００はＣＰディテクタ１１０を含まない。図５に示した実施形態では、信号モディファイア５２０は常にコピープロテクション信号をＤＡＣ１３０に入力として供給する。この実施形態では、図１に示した実施形態のようなデジタルコンテンツ信号中のコピープロテクショントリガーの検出はしない。むしろ、メカニズム５００は、デジタルコンテンツ中のトリガーにはよらずに、コピープロテクションファイル５０９で規定されたコピープロテクションプロセスを常に適用する。デジタルコンテンツファイル５０７に化体されたデジタルコンテンツのクラスまたはタイプに対してコピープロテクションファイル５０９において化体されたコピープロテクションプロセスを設定できるので、コピープロテクション信号の選択的適用は必要ない。他の実施形態では、コピープロテクションファイル５０９で規定されたコピープロテクションプロセスは基本的には空値（null）である。空値なコピープロテクションファイル５０９を作ることにより、図１の実施形態のように、コピープロテクショントリガーがデジタルコンテンツ信号中に検出されないときに得られた結果と同様に、アナログ出力信号の一部変更を防止できる。従来の様々な手段を用いて、コピープロテクションファイル５０９は信号モディファイア５２０によりアクセスされ、図１に関して上で説明したようにデジタルコンテンツ信号を一部変更するために仕様される。コピープロテクションションファイル５０９は、図１に関して上で説明した如何なる形式をとることもできる。図５に示した実施形態の利点は、メカニズム５００の部品が減少しコストが下がることである。他のすべての面において、図５に示した実施形態は、図１に示した実施形態と同様に動作し、一部修正されたアナログ出力信号１５０を発生する。
【００１７】
ここで図６を参照して、別の実施形態を説明する。図６に示したように、本実施形態はデジタル記録媒体６０５を再生するメカニズム６００を含む。図１に示した実施形態と同様に、かかるメカニズムの例はＤＶＤプレーヤやパーソナルコンピュータである。記録媒体６０５にはデジタルコンテンツファイル６０７が格納されている。図２乃至図４に示した実施形態と同様に、コピープロテクションファイル６０９はデジタル媒体６０５とは別に格納される。図１に示した実施形態と対比して、メカニズム６００はＣＰディテクタ１１０を含まない。図６に示した実施形態では、信号モディファイア６２０は常にコピープロテクション信号をＤＡＣ１３０に入力として供給する。図５に示した実施形態と同様にこの実施形態では、図１に示した実施形態のようなデジタルコンテンツ信号中のコピープロテクショントリガーの検出はしない。むしろ、メカニズム６００は、デジタルコンテンツ中のトリガーにはよらずに、コピープロテクションファイル６０９で規定されたコピープロテクションプロセスを常に適用する。図２乃至図４の実施形態と同様に、コピープロテクションファイル６０９を別のメモリ装置から、またはネットワーク接続を介して取得し、図１に関して上で説明したようにデジタルコンテンツ信号を一部変更するために使用できる。コピープロテクションションファイル６０９は、図１に関して上で説明した如何なる形式をとることもできる。図６に示した実施形態の利点は、メカニズム６００の部品が少なくコストが低いこと、コピープロテクションファイル６０９を保持するようにデジタル媒体６０５を一部変更する必要がないことである。他のすべての面において、図６に示した実施形態は、図１に示した実施形態と同様に動作し、一部修正されたアナログ出力信号１５０を発生する。
【００１８】
図７と図８に示したように、図１乃至図６に例示して上で説明したさまざまな実施形態は、放送ビデオプログラミング（broadcast video programming）、マルチキャスト、ウェブキャスト、テレビ電話等の多様なソースからビデオ入力７０５を受信するシステムで実施することができる。  図７に示したように、別の実施形態は、コピープロテクション信号７０９とコピープロテクショントリガーがエンコードされた放送デジタル信号７０７を受信して描画するメカニズム７００を含む。図１に示した実施形態と同様に、信号モディファイア７２０は放送デジタル信号７０７とコピープロテクション信号７０９とを両方受ける。図１の実施形態のように、放送デジタル信号７０７もコピープロテクションション（ＣＰ）ディテクタ１１０に入力として供給される。ＣＰディテクタ１１０は、放送デジタル信号７０７にエンコード（encoded）されたコピープロテクショントリガー（trigger）をデコード（decode）する。上記の′４４８特許は、デジタル信号７０７のコピープロテクショントリガーを検出するＣＰディテクタ１１０の実施形態を記載している。ＣＰディテクタ１１０の出力は、信号モディファイア７２０に接続されている。この実施形態では、ＣＰディテクタ１１０が放送デジタル信号７０７にコピープロテクショントリガーが無いことを検出した場合、信号モディファイア７２０を使用して放送デジタル信号７０７を一部変更して、一部変更信号をＤＡＣ１３０に出力する前に放送デジタル信号７０７からコピープロテクション信号７０９を選択的に取り除く。ＣＰディテクタ１１０が放送デジタル信号７０７にコピープロテクショントリガーがあることを検出すると、信号モディファイア７２０はコピープロテクションション信号７０９をそのまま放送デジタル信号７０７にエンコードされた状態にする。一部変更されていない放送デジタル信号７０７は、次にＤＡＣ１３０に送られ、アナログ領域に変換される。この実施形態により、放送デジタル信号７０７からコピープロテクション信号７０９を選択的に取り除くことができる。また、この実施形態によると、コピープロテクション信号７０９を、メカニズム７００からのコピープロテクショントリガーアップストリームとは別に処理できる。
【００１９】
図８を参照して、他の実施形態は、図７に示した実施形態と同様のシステムを示している。メカニズム８００は放送ビデオプログラミング、マルチキャスト、ウェブキャスト、テレビ電話等の多様なソースからビデオ入力８０５を受信する。図７と対比して、メカニズム８００は、コピープロテクショントリガーのみがエンコードされた放送デジタル信号８０７を受信する。図７の実施形態とは異なり、コピープロテクション情報ファイル８０９から発生したコピープロテクション信号は放送デジタル信号８０７にはエンコードされていない。むしろ、コピープロテクションション情報ファイル８０９は、メカニズム８００にアクセス可能な固定メモリ装置またはリムーバブルメモリ装置に別途格納される。上記の通り、従来の様々なメモリ装置を使用してコピープロテクションション情報ファイル８０９を保持できる。同様に、図３または図４に示したように、コピープロテクションション情報ファイル８０９はネットワークアクセス可能ソースから取得できる。これらの様々な手段を用いて、コピープロテクション情報ファイル８０９は信号モディファイア２２０によりアクセスされ、図１乃至図６を参照して上で説明したようにコピープロテクション信号を発生して放送デジタル信号８０７を一部変更するために使用される。図８に示した実施形態の利点は、デジタルコンテンツのソースが放送、マルチキャスト、またはウェブキャストでもよいことである。この実施形態は、例えば、セットトップボックスやパーソナルビデオレコーダ（ＰＶＲ）で使用できる。その他のすべての面で、図８に示した実施形態は、図１乃至図６に示した実施形態と同様に動作し、ＣＰディテクタ１１０が放送デジタル信号中にコピープロテクショントリガーがあることを検出すると、一部変更されたアナログ出力信号１５０を発生する。
【００２０】
このように、プロテクトされるコンテンツとは別にコピープロテクション情報の記憶を可能とするコピープロテクションシステム及び方法を開示する。上記の説明は例示であって限定ではない。当業者にはこの開示を考慮してさらに別の一部変更が明らかであろう。
【図面の簡単な説明】
【００２１】
【図１】第１の実施形態によるシステムを示すブロック図である。
【図２】第２の実施形態によるシステムを示すブロック図である。
【図３】第３の実施形態によるシステムを示すブロック図である。
【図４】第４の実施形態によるシステムを示すブロック図である。
【図５】第５の実施形態によるシステムを示すブロック図である。
【図６】第６の実施形態によるシステムを示すブロック図である。
【図７】第６の実施形態によるシステムを示すブロック図である。
【図８】第６の実施形態によるシステムを示すブロック図である。
【図１】
2008517555.tif 000002
【図２】
2008517555.tif 000003
【図３】
2008517555.tif 000004
【図４】
2008517555.tif 000005
【図５】
2008517555.tif 000006
【図６】
2008517555.tif 000007
【図７】
2008517555.tif 000008
【図８】
2008517555.tif 000009
【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
デジタルコンテンツファイルとコピープロテクション情報ファイルとを有する記録媒体を再生するメカニズムであって、前記デジタルコンテンツファイルからデジタルコンテンツ信号を発生し前記コピープロテクションファイルからコピープロテクション信号を発生するメカニズムと、
前記メカニズムに動作可能に接続された、前記デジタルコンテンツ信号をアナログ信号に変換するデジタル・アナログ・コンバータと、
前記メカニズムに接続された、前記デジタルコンテンツ信号中にあるコピープロテクショントリガーを検出するコピープロテクションディテクタと、
前記コピープロテクションディテクタに接続された、前記コピープロテクショントリガーの検出に応答して前記コピープロテクション信号を含むように前記アナログ信号を一部変更する信号モディファイアとを有する、装置。
【請求項２】
前記デジタルコンテンツ信号と前記アナログ信号はビデオ信号である、請求項１に記載の装置。
【請求項３】
前記コピープロテクション信号はアンチコピープロテクション（ＡＣＰ）波形である、請求項１に記載の装置。
【請求項４】
デジタルコンテンツファイルを格納した記録媒体を再生するメカニズムであって、前記デジタルコンテンツファイルからデジタルコンテンツ信号を発生するメカニズムと、
コピープロテクション情報ファイルを格納したコピープロテクション情報記憶装置であって、前記コピープロテクション情報ファイルからコピープロテクション信号を発生する記憶装置と、
前記メカニズムに動作可能に接続された、前記デジタルコンテンツ信号をアナログ信号に変換するデジタル・アナログ・コンバータと、
前記メカニズムに接続された、前記デジタルコンテンツ信号中にあるコピープロテクショントリガーを検出するコピープロテクションディテクタと、
前記コピープロテクションディテクタと前記記憶装置とに接続された、前記コピープロテクショントリガーの検出に応答して前記コピープロテクション信号を含むように前記アナログ信号を一部変更する信号モディファイアとを有し、前記一部変更されたアナログ信号は見ることができる、装置。
【請求項５】
前記デジタルコンテンツ信号と前記アナログ信号はビデオ信号である、請求項４に記載の装置。
【請求項６】
前記コピープロテクション信号はアンチコピープロテクション（ＡＣＰ）波形である、請求項４に記載の装置。
【請求項７】
デジタルコンテンツファイルを格納した記録媒体を再生するメカニズムであって、前記デジタルコンテンツファイルからデジタルコンテンツ信号を発生するメカニズムと、
ネットワークを介してアクセス可能なコピープロテクション情報ファイルであって、コピープロテクション信号を発生するコピープロテクション情報ファイルを保持するリモートコピープロテクション情報記憶装置と、
前記メカニズムに動作可能に接続された、前記デジタルコンテンツ信号をアナログ信号に変換するデジタル・アナログ・コンバータと、
前記メカニズムに接続された、前記デジタルコンテンツ信号中にあるコピープロテクショントリガーを検出するコピープロテクションディテクタと、
前記コピープロテクションディテクタと前記記憶装置とに接続された、前記コピープロテクショントリガーの検出に応答して前記コピープロテクション信号を含むように前記アナログ信号を一部変更する信号モディファイアとを有し、前記一部変更されたアナログ信号は見ることができる、装置。
【請求項８】
前記デジタルコンテンツ信号と前記アナログ信号はビデオ信号である、請求項７に記載の装置。
【請求項９】
前記コピープロテクション信号はアンチコピープロテクション（ＡＣＰ）波形である、請求項７に記載の装置。
【請求項１０】
デジタルコンテンツファイルを格納した記録媒体を再生するメカニズムであって、前記デジタルコンテンツファイルからデジタルコンテンツ信号を発生するメカニズムと、
ネットワークを介してコピープロテクション情報ファイルを受け取るコピープロテクション情報記憶装置であって、受け取った前記コピープロテクション情報ファイルからコピープロテクション信号を発生する記憶装置と、
前記メカニズムに動作可能に接続された、前記デジタルコンテンツ信号をアナログ信号に変換するデジタル・アナログ・コンバータと、
前記メカニズムに接続された、前記デジタルコンテンツ信号中にあるコピープロテクショントリガーを検出するコピープロテクションディテクタと、
前記コピープロテクションディテクタと前記記憶装置とに接続された、前記コピープロテクショントリガーの検出に応答して前記コピープロテクション信号を含むように前記アナログ信号を一部変更する信号モディファイアとを有し、前記一部変更されたアナログ信号は見ることができる、装置。
【請求項１１】
前記デジタルコンテンツ信号と前記アナログ信号はビデオ信号である、請求項１０に記載の装置。
【請求項１２】
前記コピープロテクション信号はアンチコピープロテクション（ＡＣＰ）波形である、請求項１０に記載の装置。
【請求項１３】
デジタルコンテンツファイルとコピープロテクション情報ファイルとを有する記録媒体を再生するメカニズムであって、前記デジタルコンテンツファイルからデジタルコンテンツ信号を発生し前記コピープロテクションファイルからコピープロテクション信号を発生するメカニズムと、
前記メカニズムに動作可能に接続された、前記デジタルコンテンツ信号をアナログ信号に変換するデジタル・アナログ・コンバータと、
前記メカニズムに接続された、前記アナログ信号を前記コピープロテクション信号を含むように一部変更する信号モディファイアとを有し、前記一部変更されたアナログ信号は見ることができる、装置。
【請求項１４】
前記デジタルコンテンツ信号と前記アナログ信号はビデオ信号である、請求項１３に記載の装置。
【請求項１５】
前記コピープロテクション信号はアンチコピープロテクション（ＡＣＰ）波形である、請求項１３に記載の装置。
【請求項１６】
デジタルコンテンツファイルを格納した記録媒体を再生するメカニズムであって、前記デジタルコンテンツファイルからデジタルコンテンツ信号を発生するメカニズムと、
コピープロテクション情報ファイルを格納したコピープロテクション情報記憶装置であって、前記コピープロテクション情報ファイルからコピープロテクション信号を発生する記憶装置と、
前記メカニズムに動作可能に接続された、前記デジタルコンテンツ信号をアナログ信号に変換するデジタル・アナログ・コンバータと、
前記記憶装置に接続された、前記アナログ信号を前記コピープロテクション信号を含むように一部変更する信号モディファイアとを有し、前記一部変更されたアナログ信号は見ることができる、装置。
【請求項１７】
前記デジタルコンテンツ信号と前記アナログ信号はビデオ信号である、請求項１６に記載の装置。
【請求項１８】
前記コピープロテクション信号はアンチコピープロテクション（ＡＣＰ）波形である、請求項１６に記載の装置。
【請求項１９】
デジタルコンテンツソースからデジタルコンテンツ信号を受け取るメカニズムと、
コピープロテクション情報ファイルを格納したコピープロテクション情報記憶装置であって、前記コピープロテクション情報ファイルからコピープロテクション信号を発生する記憶装置と、
前記メカニズムに動作可能に接続された、前記デジタルコンテンツ信号をアナログ信号に変換するデジタル・アナログ・コンバータと、
前記メカニズムに接続された、前記デジタルコンテンツ信号中にあるコピープロテクショントリガーを検出するコピープロテクションディテクタと、
前記コピープロテクションディテクタと前記記憶装置とに接続された、前記コピープロテクショントリガーの検出に応答して前記コピープロテクション信号を含むように前記アナログ信号を一部変更する信号モディファイアとを有し、前記一部変更されたアナログ信号は見ることができる、装置。
【請求項２０】
前記デジタルコンテンツ信号と前記アナログ信号はビデオ信号である、請求項１９に記載の装置。
【請求項２１】
前記コピープロテクション信号はアンチコピープロテクション（ＡＣＰ）波形である、請求項１９に記載の装置。
【請求項２２】
デジタルコンテンツファイルとコピープロテクション情報ファイルとを格納した記録媒体を再生する段階と、
前記デジタルコンテンツファイルからデジタルコンテンツ信号を再生し、前記コピープロテクションファイルからコピープロテクション信号を再生する段階と、
前記デジタルコンテンツ信号をアナログ信号に変換する段階と、
前記デジタルコンテンツ信号中にあるコピープロテクショントリガーを検出する段階と、
前記コピープロテクショントリガーの検出に応答して前記アナログ信号を一部変更して前記コピープロテクション信号を含める段階とを有し、前記一部変更されたアナログ信号は見ることができる、方法。
【請求項２３】
前記デジタルコンテンツ信号と前記アナログ信号はビデオ信号である、請求項２２に記載の方法。
【請求項２４】
前記コピープロテクション信号はアンチコピープロテクション（ＡＣＰ）波形である、請求項２２に記載の方法。
【請求項２５】
デジタルコンテンツファイルを格納した記録媒体を再生する段階と、
前記デジタルコンテンツファイルからデジタルコンテンツ信号を発生する段階と、
コピープロテクション情報ファイルを読み出す段階と、
前記コピープロテクション情報ファイルからコピープロテクション信号を発生する段階と、
前記デジタルコンテンツ信号をアナログ信号に変換する段階と、
前記デジタルコンテンツ信号中にあるコピープロテクショントリガーを検出する段階と、
前記コピープロテクショントリガーの検出に応答して前記アナログ信号を一部変更して前記コピープロテクション信号を含める段階とを有し、前記一部変更されたアナログ信号は見ることができる、方法。
【請求項２６】
前記デジタルコンテンツ信号と前記アナログ信号はビデオ信号である、請求項２５に記載の方法。
【請求項２７】
前記コピープロテクション信号はアンチコピープロテクション（ＡＣＰ）波形である、請求項２５に記載の方法。
【請求項２８】
デジタルコンテンツファイルからデジタルコンテンツ信号を受け取る段階と、
コピープロテクション情報ファイルを読み出す段階と、
前記コピープロテクション情報ファイルからコピープロテクション信号を発生する段階と、
前記デジタルコンテンツ信号をアナログ信号に変換する段階と、
前記デジタルコンテンツ信号中にあるコピープロテクショントリガーを検出する段階と、
前記コピープロテクショントリガーの検出に応答して前記アナログ信号を一部変更して前記コピープロテクション信号を含める段階とを有し、前記一部変更されたアナログ信号は見ることができる、方法。
【請求項２９】
前記デジタルコンテンツ信号と前記アナログ信号はビデオ信号である、請求項２８に記載の方法。
【請求項３０】
前記コピープロテクション信号はアンチコピープロテクション（ＡＣＰ）波形である、請求項２８に記載の方法。
【請求項３１】
少なくとも１つのコピープロテクションビットを含むデジタルデータ信号を受信し、少なくとも１つのコピープロテクション信号も受信するデジタルデータ信号レシーバと、
前記デジタルデータ信号レシーバに動作可能に接続された、前記デジタルデータ信号をアナログ信号に変換するデジタル・アナログ・コンバータと、
前記デジタルデータ信号レシーバに接続された、前記デジタルデータ信号中にある前記コピープロテクションビットを検出するコピープロテクションディテクタと、
前記デジタル・アナログ・コンバータとコピープロテクションディテクタとに接続された、前記コピープロテクションビットの検出に応答してフィールド毎のいくつかのビデオラインを変更するように前記アナログ信号を一部変更する信号モディファイアとを有する、システム。
【請求項３２】
前記信号モディファイアは、前記コピープロテクションビットの検出に応答して、前記アナログ信号を一部変更してビデオフィールドの期間／時間的長さを変更する、請求項３１に記載のシステム。
【国際調査報告】
2008517555.tif 000010